【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
柔軟性を有するシート状の記録媒体が搬送ローラ対を含む搬送経路内を搬送されていく際の前記記録媒体の挙動をシミュレーションする情報処理装置であって、
前記搬送経路内に配置される搬送ローラ対の剛性に関する情報を含む条件を設定する部品設定手段と、
前記設定された条件に基づいて、前記搬送ローラ対の互いに接触する接触領域の形状を表すデータを作成するニップ形状作成手段と、
前記接触領域の形状を表すデータに基づいて、前記記録媒体が搬送経路内を搬送されていく際の前記記録媒体の挙動をシミュレーションするシミュレーション手段と、
を有することを特徴とする情報処理装置。
【請求項２】
前記部品設定手段は、前記搬送ローラ対の設定条件を入力するために、前記搬送ローラ対のうちの剛性の大きいローラを第１ローラに、剛性が小さいローラを第２ローラとして、前記第１ローラの径と、前記第２ローラの径と、前記第１ローラおよび前記第２ローラの軸間距離と剛性比とを入力するための設定画面を表示することを特徴とする請求項１に記載の情報処理装置。
【請求項３】
前記ニップ形状作成手段は、前記搬送ローラ対の第１ローラと第２ローラとの剛性比が所定以上の場合、前記部品設定手段によって設定された位置に設定された形状の前記搬送ローラ対を配置し、次に、前記搬送ローラ対のニップの形状を前記第１ローラの表面形状に沿う形にとり、さらに、前記第２ローラの前記第１ローラと重なる部分を切り取り、該切り取った部分に前記第１ローラの表面形状に沿う円弧を設けることにより、該円弧と第１ローラの間を前記ニップの形状を表すデータとして作成することを特徴とする請求項２に記載の情報処理装置。
【請求項４】
前記ニップ形状形成手段は、設定された前記搬送ローラ対の剛性比が所定以上の場合、前記搬送ローラ対の接触領域の形状が一方のローラの表面形状が他方のローラの表面形状に沿う形とされ、該一方のローラの該該他方のローラと重なる部分を切り取り、該切り取った部分に該他方のローラの表面形状に沿う円弧を生成し、該搬送ローラ対の該接触領域の形状を表すデータとする機能を有することを特徴とする請求項２に記載の情報処理装置。
【請求項５】
前記部品設定手段は、前記接触領域の曲率半径を入力するための設定画面を更に有し、前記ニップ形状形成手段は、設定された前記搬送ローラ対の剛性比が所定以上の場合、入力された前記接触領域の曲率半径を前記搬送ローラ対の互いに接触する接触領域の形状を表すデータとすることを特徴とする請求項２に記載の情報処理装置。
【請求項６】
前記接触領域の曲率半径は、有限要素法を用いた変形量の計算と、該計算結果から出力された接触領域形状から設定されることを特徴とする請求項５に記載の情報処理装置。
【請求項７】
前記ニップ形状作成手段は、前記搬送ローラ対の第１ローラの剛性と第２ローラの剛性とが略等しい場合、前記部品設定手段によって設定された位置に設定された形状の前記搬送ローラ対を配置し、次に、前記第１ローラと第２ローラの重なる部分を切り取り、該切り取った部分に前記ニップ曲率半径を指定した円弧をそれぞれのローラに設けることにより、該円弧同士の間を前記接触領域の形状を表すデータとして作成することを特徴とする請求項１に記載の情報処理装置。
【請求項８】
前記剛性に関する情報は前記搬送ローラ対の剛性比を含み、該剛性比は複数設定可能とされていることを特徴とする請求項１に記載の情報処理装置。
【請求項９】
さらに、複数の剛性比に対応して設定された接触領域の曲率半径を選択する手段を有することを特徴とする請求項８に記載の情報処理装置。
【請求項１０】
さらに、前記搬送ローラ対の時系列の駆動速度を示す駆動条件を設定する駆動条件設定手段と、前記駆動条件における駆動速度が変化する点の時刻が計算時刻と一致しない場合に、前記計算時刻を前記駆動速度が変化する点の時刻に一致させる計算時刻調節手段と、
前記部品設定手段で設定された条件と、前記駆動条件と、前記一致された計算時刻とに基づいて、前記記録媒体が搬送経路内を搬送されていく際の前記記録媒体の挙動をシミュレーションするシミュレーション手段と、
を有することを特徴とする請求項１乃至請求項９のいずれか１項に記載の情報処理装置。
【請求項１１】
柔軟性を有するシート状の記録媒体が搬送ローラ対を含む搬送経路内を搬送されていく際の前記記録媒体の挙動をシミュレーションする情報処理装置であって、
前記搬送経路内に配置される搬送ローラ対の位置を含む条件を設定する部品設定手段と、
前記搬送ローラ対の時系列の駆動速度を示す駆動条件を設定する駆動条件設定手段と、
前記駆動条件における駆動速度が変化する点の時刻が計算時刻と一致しない場合に、前記計算時刻を前記駆動速度が変化する点の時刻に一致させる計算時刻調節手段と、
前記部品設定手段で設定された条件と、前記駆動条件と、前記一致された計算時刻とに基づいて、前記記録媒体が搬送経路内を搬送されていく際の前記記録媒体の挙動をシミュレーションするシミュレーション手段と、
を有することを特徴とする情報処理装置。
【請求項１２】
前記計算時刻調節手段は、前記駆動条件における駆動速度が変化する点の時刻が計算時刻と一致しない場合に、前記数値解析で用いられる計算時間ステップ（Δｔ）を時間分割して計算時刻を前記駆動速度が変化する点の時刻に一致させることを特徴とする請求項１１に記載の情報処理装置。
【請求項１３】
前記駆動速度が変化する点の時刻は、前記機構部品の駆動開始時刻、駆動終了時刻、および駆動速度が変化する時刻を含むことを特徴とする請求項１２に記載の情報処理装置。
【請求項１４】
柔軟性を有するシート状の記録媒体が搬送ローラ対を含む搬送経路内を搬送されていく際の前記記録媒体の挙動をシミュレーションする情報処理装置の制御方法であって、
前記搬送経路内に配置される搬送ローラ対の剛性に関する情報を含む条件を設定する部品設定工程と、
前記設定された条件に基づいて、前記搬送ローラ対の互いに接触する接触領域の形状を表すデータを作成するニップ形状作成工程と、
前記接触領域の形状を表すデータに基づいて、前記記録媒体が搬送経路内を搬送されていく際の前記記録媒体の挙動をシミュレーションするシミュレーション工程と、
を有することを特徴とする情報処理装置の制御方法。
【請求項１５】
柔軟性を有するシート状の記録媒体が搬送ローラ対を含む搬送経路内を搬送されていく際の前記記録媒体の挙動をシミュレーションする情報処理装置の制御方法であって、
前記搬送経路内に配置される搬送ローラ対の位置を含む条件を設定する部品設定工程と、
前記搬送ローラ対の時系列の駆動速度を示す駆動条件を設定する駆動条件設定工程と、
前記駆動条件における駆動速度が変化する点の時刻が計算時刻と一致しない場合に、前記計算時刻を前記駆動速度が変化する点の時刻に一致させる計算時刻調節工程と、
前記部品設定工程で設定された条件と、前記駆動条件と、前記一致された計算時刻とに基づいて、前記記録媒体が搬送経路内を搬送されていく際の前記記録媒体の挙動をシミュレーションするシミュレーション工程と、
を有することを特徴とする情報処理装置の制御方法。
【請求項１６】
柔軟性を有するシート状の記録媒体が搬送経路内を搬送されていく際の前記記録媒体の挙動をシミュレーションする情報処理装置であって、
前記搬送経路内に配置される搬送ローラ対を定義する定義手段と、
前記定義された搬送ローラ対に対して、搬送ローラの変形によって生じる速度変動率を算出するためのパラメータを入力する入力画面を表示する表示手段と、
前記定義された搬送ローラ対と前記入力画面から入力された前記パラメータとに基づいて、前記記録媒体が搬送経路内を搬送されていく際の前記記録媒体の挙動をシミュレーションするシミュレーション手段と、
を有することを特徴とする情報処理装置。
【請求項１７】
前記パラメータは、搬送ローラ対の各直径、搬送ローラの材質および硬さ、搬送ローラのゴム層の厚み、搬送ローラの表層の厚み、および押圧力のうち少なくとも１つを含むことを特徴とする請求項１６に記載の情報処理装置。
【請求項１８】
前記表示手段は、予め定義された搬送経路を表示するとともに、前記搬送経路内の速度変動率が算出された搬送ローラ対を他の搬送ローラ対と区別して表示することを特徴とする請求項１６に記載の情報処理装置。
【請求項１９】
柔軟性を有するシート状の記録媒体が搬送経路内を搬送されていく際の前記記録媒体の挙動をシミュレーションする情報処理装置の制御方法であって、
前記搬送経路内に配置される搬送ローラ対を定義する定義工程と、
前記定義された搬送ローラ対に対して、搬送ローラの変形によって生じる速度変動率を算出するためのパラメータを入力する入力画面を表示する表示工程と、
前記定義された搬送ローラ対と前記入力画面から入力された前記パラメータとに基づいて、前記記録媒体が搬送経路内を搬送されていく際の前記記録媒体の挙動をシミュレーションするシミュレーション工程と、
を有することを特徴とする情報処理装置の制御方法。
【請求項２０】
請求項１４、請求項１５および請求項１９のいずれか１項に記載の情報処理装置の制御方法を実現するコンピュータ実行可能なプログラム。
【請求項２１】
請求項２０に記載のプログラムをコンピュータ読み取り可能な形態で記憶する記憶媒体。
【手続補正２】
【補正対象書類名】明細書
【補正対象項目名】００１６
【補正方法】変更
【補正の内容】
【００１６】
上記目的を達成するための本発明の情報処理装置は、以下の構成を有する。すなわち、柔軟性を有するシート状の記録媒体が搬送ローラ対を含む搬送経路内を搬送されていく際の前記記録媒体の挙動をシミュレーションする情報処理装置であって、前記搬送経路内に配置される搬送ローラ対の剛性に関する情報を含む条件を設定する部品設定手段と、前記設定された条件に基づいて、前記搬送ローラ対の互いに接触する接触領域の形状を表すデータを作成するニップ形状作成手段と、前記接触領域の形状を表すデータに基づいて、前記記録媒体が搬送経路内を搬送されていく際の前記記録媒体の挙動をシミュレーションするシミュレーション手段と、を有することを特徴とする。
【手続補正３】
【補正対象書類名】明細書
【補正対象項目名】００１７
【補正方法】変更
【補正の内容】
【００１７】
また、本発明の情報処理装置は、以下の構成を有する。すなわち、柔軟性を有するシート状の記録媒体が搬送ローラ対を含む搬送経路内を搬送されていく際の前記記録媒体の挙動をシミュレーションする情報処理装置であって、前記搬送経路内に配置される搬送ローラ対の位置を含む条件を設定する部品設定手段と、前記搬送ローラ対の時系列の駆動速度を示す駆動条件を設定する駆動条件設定手段と、前記駆動条件における駆動速度が変化する点の時刻が計算時刻と一致しない場合に、前記計算時刻を前記駆動速度が変化する点の時刻に一致させる計算時刻調節手段と、前記部品設定手段で設定された条件と、前記駆動条件と、前記一致された計算時刻とに基づいて、前記記録媒体が搬送経路内を搬送されていく際の前記記録媒体の挙動をシミュレーションするシミュレーション手段と、を有することを特徴とする。
また、本発明の情報処理装置の制御方法は、以下の構成を有する。すなわち、柔軟性を有するシート状の記録媒体が搬送ローラ対を含む搬送経路内を搬送されていく際の前記記録媒体の挙動をシミュレーションする情報処理装置の制御方法であって、前記搬送経路内に配置される搬送ローラ対の剛性に関する情報を含む条件を設定する部品設定工程と、前記設定された条件に基づいて、前記搬送ローラ対の互いに接触する接触領域の形状を表すデータを作成するニップ形状作成工程と、前記接触領域の形状を表すデータに基づいて、前記記録媒体が搬送経路内を搬送されていく際の前記記録媒体の挙動をシミュレーションするシミュレーション工程と、を有することを特徴とする。
【手続補正４】
【補正対象書類名】明細書
【補正対象項目名】００１９
【補正方法】変更
【補正の内容】
【００１９】
また、本発明の情報処理装置は、以下の構成を有する。すなわち、柔軟性を有するシート状の記録媒体が搬送経路内を搬送されていく際の前記記録媒体の挙動をシミュレーションする情報処理装置であって、前記搬送経路内に配置される搬送ローラ対を定義する定義手段と、前記定義された搬送ローラ対に対して、搬送ローラの変形によって生じる速度変動率を算出するためのパラメータを入力する入力画面を表示する表示手段と、前記定義された搬送ローラ対と前記入力画面から入力された前記パラメータとに基づいて、前記記録媒体が搬送経路内を搬送されていく際の前記記録媒体の挙動をシミュレーションするシミュレーション手段と、を有することを特徴とする。
【手続補正５】
【補正対象書類名】明細書
【補正対象項目名】００２０
【補正方法】変更
【補正の内容】
【００２０】
また、本発明の情報処理装置の制御方法は、以下の構成を有する。すなわち、柔軟性を有するシート状の記録媒体が搬送経路内を搬送されていく際の前記記録媒体の挙動をシミュレーションする情報処理装置の制御方法であって、前記搬送経路内に配置される搬送ローラ対を定義する定義工程と、前記定義された搬送ローラ対に対して、搬送ローラの変形によって生じる速度変動率を算出するためのパラメータを入力する入力画面を表示する表示工程と、前記定義された搬送ローラ対と前記入力画面から入力された前記パラメータとに基づいて、前記記録媒体が搬送経路内を搬送されていく際の前記記録媒体の挙動をシミュレーションするシミュレーション工程と、を有することを特徴とする。